(57)【要約】【課題】施錠時につまみが容易に取り外されず、自転車用ヘルメットなどの係止物を固定できる自転車用の馬蹄錠を提供する。【解決手段】施錠動作をなすためのつまみ１３が、閂片１２のつまみ取付部に取り付けられたものであり、つまみ取付部とつまみ１３とは、一方を他方に嵌め込むことにより両者を固定する凹部又は凸部を少なくとも一方に備えたものであり、ケーシング１１に取り付けられた係合用金具１５には、つまみ１３と係合するケーシング側係止部１５ｄが備えられ、このケーシング側係止部１５ｄは、ケーシング１１から閂片１２が引き出されて施錠がなされた状態にあるつまみ１３と合致する位置に設けられ、このケーシング側係止部１５ｄは、施錠がなされた状態にあるつまみ１３に係止することによって、つまみ取付部１２ａとつまみ１３との上記嵌め込みの方向と逆方向への動作を阻止する。【選択図】図５
0003120156.tif 000002
【実用新案登録請求の範囲】
【請求項１】
両端面（１１ａ，１１ｂ）が開口されたケーシング（１１）の内部に閂片（１２）が設けられたものであり、
閂片（１２）は弧状のもので、ケーシング（１１）の内部を移動可能なものであり、
閂片（１２）の先端部が、ケーシング（１１）の一端面（１１ａ）から引き出され他端面（１１ｂ）へ挿入されることにより、ケーシング（１１）と閂片（１２）とで閉じた環状部が形成されることにより施錠がなされ、
閂片（１２）の先端部が、ケーシング（１１）の一端面（１１ａ）の側に引き戻されることにより開錠がなされる自転車用馬蹄錠において、
閂片（１２）がつまみ取付部（１２ａ）を備え、閂片（１２）の上記引き出し動作をなすためのつまみ（１３）が当該つまみ取付部（１２ａ）に取り付けられたものであり、
つまみ取付部（１２ａ）とつまみ（１３）とは、一方を他方に嵌め込むことにより両者を固定する凹部又は凸部を少なくとも何れか一方に備えたものであり、
ケーシング（１１）、あるいはケーシング（１１）に取り付けられた係合用金具（１５）には、つまみ（１３）と係合するケーシング側係止部（１５ｄ）が備えられ、
このケーシング側係止部（１５ｄ）は、ケーシング（１１）から閂片（１２）が引き出されて施錠がなされた状態にあるつまみ（１３）と合致する位置に設けられ、
このケーシング側係止部（１５ｄ）は、施錠がなされた状態にあるつまみ（１３）に係止することによって、つまみ取付部（１２ａ）とつまみ（１３）との上記嵌め込みの方向と逆方向への動作を阻止するようになされたことを特徴とする、自転車用の馬蹄錠。
【請求項２】
つまみ（１３）の表面に、溝状の凹部であるつまみ側係合部（１３ａ）が形成され、
このつまみ側係合部（１３ａ）は、上記引き出し動作に応じたつまみ（１３）の移動方向に対して平行とされたものであり、
ケーシング側係止部（１５ｄ）が、上記溝状であるつまみ側係合部（１３ａ）の一部に沿って係合するものであり、
つまみ（１３）の基端部が上記のつまみ取付部（１２ａ）に取り付けられ、
つまみ（１３）の基端寄りに、上記のつまみ側係合部（１３ａ）が形成され、
つまみ（１３）の先端寄りに、上記引き出し動作のために指で操作できる部分である操作部（１３ｃ）が形成されたことを特徴とする、請求項１に記載の自転車用の馬蹄錠。
【請求項３】
上記のつまみ取付部（１２ａ）が、閂片（１２）の正面側に突出して設けられた軸状体であり、
つまみ（１３）の基端部には、上記のつまみ取付部（１２ａ）と嵌合する取付孔（１３ｂ）が設けられており、
上記のつまみ側係合部（１３ａ）が、つまみ（１３）のつまみ取付部（１２ａ）に対する上記嵌め込みの方向に沿う側における、つまみ（１３）の表面の全周にわたって設けられたものであり、
係合用金具（１５）がケーシング（１１）に取り付けられたものであり、
上記の係合用金具（１５）が、ケーシング（１１）の背面あるいは側面から、閂片（１２）の径外方向へと延びた背面側部（１５ａ）と、
上記背面側部（１５ａ）に連続して設けられ、正面側まで延ばされた連結部（１５ｂ）と、
上記連結部（１５ｂ）に連続したものであり、ケーシング（１１）よりも正面側に設けられ、閂片（１２）の径内方向へと延びた正面側部（１５ｃ）とを有し、
ケーシング（１１）から引き出されて施錠がなされた状態にある、つまみ（１３）のつまみ側係合部（１３ａ）に対し、上記正面側部（１５ｃ）の一部であるケーシング側係止部（１５ｄ）が係合するものであり、
これにより、施錠時において、ケーシング（１１）と係合用金具（１５）とつまみ（１３）との間で環状部（Ｃ）が形成されたことを特徴とする、請求項２に記載の自転車用の馬蹄錠。
【請求項４】
上記環状部（Ｃ）の有する空間の、閂片（１２）の径方向における断面積が、自転車用ヘルメット（Ｈ）のあご紐（Ｈ１）の、長手方向に直交する方向における断面積よりも大きいことを特徴とする、請求項３に記載の自転車用の馬蹄錠。
【考案の詳細な説明】
【技術分野】
【０００１】
本願考案は、自転車用の馬蹄錠に関するものである。
【背景技術】
【０００２】
【特許文献１】実用新案登録第２５０６０６３号公報
【特許文献２】特開昭５２−６００号公報
【特許文献３】実開平３−１３０８７４号公報
【特許文献４】登録実用新案第３１１３４４９号公報
【０００３】
自転車の車輪を回動不能に施錠するための錠として、弧状の閂片をケーシングから出没可能とした錠である馬蹄錠が広く用いられている。この馬蹄錠の施錠操作は、ケーシングに収納された閂片を出没させるためのつまみを持って行う。
【０００４】
上記のつまみの閂片に対する固定は、閂片から突出して設けられた、小径の棒状体であるピンにつまみを固定することによりなされている。この固定は、ピンに対してつまみを圧入することによりなされる。よって、つまみをピンから引き抜くことも可能である。
【考案の開示】
【考案が解決しようとする課題】
【０００５】
上記のつまみは、マイナスドライバーなど、先端が板状のものによってこじることによって容易に取り外すことができるため、いたずらなどにより、施錠中にこのつまみが外されてしまうことがある。また、つまみは樹脂製であることが多いため、経年変化により、ピンとの係合が緩んで自然に外れてしまうこともある。
【０００６】
つまみが外れたとしても、馬蹄錠の錠機能自体が失われるものではないが、つまみがない状態では、露出したピンをそのまま操作しなければならなくなり、操作性が極端に悪くなる。また、施錠操作の際に指を痛めてしまうこともある。また、この露出したピンに引っ掛かり怪我をしたり、衣服や鞄などを傷つけてしまう恐れもある。更には、つまみに、ケーシングの一部と係合することなどによる、補助的なロック手段が設けられていた場合には、このロック手段が利かなくなり、不正開錠がされやすくなる可能性がある。
【０００７】
上記のようにつまみが外されてしまうことを防止できる構造として、本願出願人による、特許文献１に示された馬蹄錠が存在する。この馬蹄錠は、ケーシングの側面につまみを設けたものであり、このつまみは、ケーシングの一部に常時引っ掛けられたものとされており、つまみが外れることがないため優秀である。しかし、この馬蹄錠にあっては、開錠時におけるつまみの位置が、ケーシングの上端となるため、自転車の車種によっては取り付けのできないものがあって、すべての馬蹄錠に応用できるものではなかった。
【０００８】
また、上記の問題とは別に、特許文献２〜４に示されたように、別途の施錠に用いる鎖や自転車用ヘルメットなどの係止物を、施錠時に固定することのできる構造を備えた自転車用錠が存在する。ここで、特許文献２に示されたものは箱型錠に関するものである。また、特許文献３に示されたものは本願出願人によるものであって、馬蹄錠に関するものである。ただ、この馬蹄錠は、つまみの抜け止めという観点からの提案がなされたものではない。また、特許文献４に示されたものも馬蹄錠に関するものであるが、明細書中において閂片とつまみとが一体化されていると述べられているに止まり、つまみの抜け止めという観点からの提案がなされたものとは言えない。
【０００９】
本願考案は上記のことに鑑み、施錠時においてつまみが容易に取り外されることのない、自転車用の馬蹄錠を提供することを課題とする。加えて、自転車用ヘルメットなどの係止物を固定することのできる、自転車用の馬蹄錠を提供することを課題とする。
【課題を解決するための手段】
【００１０】
上記課題を解決するために、本願の請求項１に係る考案は、両端面１１ａ，１１ｂが開口されたケーシング１１の内部に閂片１２が設けられたものであり、閂片１２は弧状のもので、ケーシング１１の内部を移動可能なものであり、閂片１２の先端部が、ケーシング１１の一端面１１ａから引き出され他端面１１ｂへ挿入されることにより、ケーシング１１と閂片１２とで閉じた環状部が形成されることにより施錠がなされ、閂片１２の先端部が、ケーシング１１の一端面１１ａの側に引き戻されることにより開錠がなされる自転車用馬蹄錠において、閂片１２がつまみ取付部１２ａを備え、閂片１２の上記引き出し動作をなすためのつまみ１３が当該つまみ取付部１２ａに取り付けられたものであり、つまみ取付部１２ａとつまみ１３とは、一方を他方に嵌め込むことにより両者を固定する凹部又は凸部を少なくとも何れか一方に備えたものであり、ケーシング１１、あるいはケーシング１１に取り付けられた係合用金具１５には、つまみ１３と係合するケーシング側係止部１５ｄが備えられ、このケーシング側係止部１５ｄは、ケーシング１１から閂片１２が引き出されて施錠がなされた状態にあるつまみ１３と合致する位置に設けられ、このケーシング側係止部１５ｄは、施錠がなされた状態にあるつまみ１３に係止することによって、つまみ取付部１２ａとつまみ１３との上記嵌め込みの方向と逆方向への動作を阻止するようになされたことを特徴とする、自転車用の馬蹄錠を提供する。
【００１１】
また、本願の請求項２に係る考案は、つまみ１３の表面に、溝状の凹部であるつまみ側係合部１３ａが形成され、このつまみ側係合部１３ａは、上記引き出し動作に応じたつまみ１３の移動方向に対して平行とされたものであり、ケーシング側係止部１５ｄが、上記溝状であるつまみ側係合部１３ａの一部に沿って係合するものであり、つまみ１３の基端部が上記のつまみ取付部１２ａに取り付けられ、つまみ１３の基端寄りに、上記のつまみ側係合部１３ａが形成され、つまみ１３の先端寄りに、上記引き出し動作のために指で操作できる部分である操作部１３ｃが形成されたことを特徴とする、請求項１に記載の自転車用の馬蹄錠を提供する。
なお、上記「基端寄り」「先端寄り」とは、つまみ１３中における絶対的な位置関係を指すものではなく、あくまでも相対的な位置関係を指す表現である。
【００１２】
また、本願の請求項３に係る考案は、上記のつまみ取付部１２ａが、閂片１２の正面側に突出して設けられた軸状体であり、つまみ１３の基端部には、上記のつまみ取付部１２ａと嵌合する取付孔１３ｂが設けられており、上記のつまみ側係合部１３ａが、つまみ１３のつまみ取付部１２ａに対する上記嵌め込みの方向に沿う側における、つまみ１３の表面の全周にわたって設けられたものであり、係合用金具１５がケーシング１１に取り付けられたものであり、上記の係合用金具１５が、ケーシング１１の背面あるいは側面から、閂片１２の径外方向へと延びた背面側部１５ａと、上記背面側部１５ａに連続して設けられ、正面側まで延ばされた連結部１５ｂと、上記連結部１５ｂに連続したものであり、ケーシング１１よりも正面側に設けられ、閂片１２の径内方向へと延びた正面側部１５ｃとを有し、ケーシング１１から引き出されて施錠がなされた状態にある、つまみ１３のつまみ側係合部１３ａに対し、上記正面側部１５ｃの一部であるケーシング側係止部１５ｄが係合するものであり、これにより、施錠時において、ケーシング１１と係合用金具１５とつまみ１３との間で環状部Ｃが形成されたことを特徴とする、請求項２に記載の自転車用の馬蹄錠を提供する。
【００１３】
また、本願の請求項４に係る考案は、上記環状部Ｃの有する空間の、閂片１２の径方向における断面積が、自転車用ヘルメットＨのあご紐Ｈ１の、長手方向に直交する方向における断面積よりも大きいことを特徴とする、請求項３に記載の自転車用の馬蹄錠を提供する。
【考案の効果】
【００１４】
本願の請求項１に係る考案は、ケーシング１１から閂片１２が引き出されて施錠がなされた状態にあるつまみ１３と、ケーシング側係止部１５ｄとが係合するものであって、上記各係合部１３ａ，１５ｄ同士の係合が、つまみ取付部１２ａとつまみ１３との嵌め込みの方向と逆方向への動作を阻止するようになされるため、施錠時においてつまみ１３が容易に取り外されることのない、自転車用の馬蹄錠を提供することができたものである。
【００１５】
また、本願の請求項２に係る考案は、上記の効果に加え、つまみ１３の基端寄りの表面に、上記引き出し動作に応じたつまみ１３の移動方向に対して平行とされた、溝状の凹部であるつまみ側係合部１３ａが形成され、つまみ１３の先端寄りに、閂片１２の引き出し動作のために指で操作できる部分である操作部１３ｃが形成されたことにより、操作部１３ｃをつまんだ指がケーシング側係止部１５ｄに対して引っ掛かりにくく、容易に施錠が可能な、自転車用の馬蹄錠を提供することができたものである。
【００１６】
また、本願の請求項３に係る考案は、上記請求項２に係る考案の効果に加え、施錠時において、ケーシング１１と係合用金具１５とつまみ１３との間で環状部Ｃが形成されたことから、環状部Ｃに種々の係止物を固定することができ、当該係止物の盗難を有効に防止できる、自転車用の馬蹄錠を提供することができたものである。
【００１７】
また、本願の請求項４に係る考案は、上記請求項３に係る考案の効果に加え、環状部Ｃの有する空間の、閂片１２の径方向における断面積が、自転車用ヘルメットＨのあご紐Ｈ１の、長手方向に直交する方向における断面積よりも大きいことから、環状部Ｃに自転車用ヘルメットＨを固定することができ、自転車用ヘルメットＨの盗難を有効に防止できる、自転車用の馬蹄錠を提供することができたものである。また、環状部Ｃとあご紐Ｈ１の位置関係を自由に調整でき、周囲の邪魔にならないように自転車用ヘルメットＨを固定することができる、自転車用の馬蹄錠を提供することができたものである。
【考案を実施するための最良の形態】
【００１８】
以下、図面に基づき本願考案の一実施例をとりあげて説明する。図１及び図２は本例の馬蹄錠を示す。また、図３は本例の馬蹄錠に用いられるつまみと係合用金具との関係を示す。また、図４は本例の馬蹄錠に用いられる係合用金具を示す。また、図５は本例の馬蹄錠の使用状態の一例を示す。
【００１９】
本願考案に係る馬蹄錠１の基本的な構造は、従来から用いられている馬蹄錠と同様であって、両端面１１ａ，１１ｂが開口されたケーシング１１の内部に弧状の閂片１２が設けられたものである。なお、このケーシング１１は、図３に示すように、図示下方に位置するベース部１１１と、ベース部１１１を図示上方から覆うカバー部１１２とが組み合わされ、内部に閂片１２が収納可能な空間が形成されたものである。
【００２０】
閂片１２はケーシング１１の内部を移動可能なものであって、ケーシング１１に対し出没可能とされている。そして、閂片１２に取り付けられたつまみ１３を指で持つことにより、先端部がケーシング１１の一端面１１ａの開口部分から引き出され、図１（Ａ）（Ｂ）に示した状態とされる。そして、上記のように引き出された閂片１２が他端面１１ｂの開口部分へ挿入された状態のまま、施錠機構１４が作動して閂片１２を固定することにより、図１（Ａ）に示したように、ケーシング１１と閂片１２とで閉じた環状部が形成されて施錠がなされる。一方、開錠に当たっては、図２に示すように、キー１４ａの挿入により施錠機構１４を操作し、ケーシング１１の内部に設けられたばね（図示しない）の付勢により、閂片１２の先端部が、ケーシング１１の一端面１１ａの開口部分から引き戻される。
【００２１】
本例の馬蹄錠１において用いられる閂片１２は、鉄板がプレスなどの手段により加工されたものであり、一定の弧を有するように湾曲して形成されたものである。そして、径方向における断面形状はＵ字形とされている（図３参照）。この閂片１２はつまみ取付部１２ａを備えたものとされ、このつまみ取付部１２ａに対して、閂片１２を上記のように引き出す動作をなすためのつまみ１３が嵌め込まれて固定される。なお、この固定は、つまみ取付部１２ａとつまみ１３との嵌合により直接なされたものであっても良いし、両者間の接着によりなされたものであっても良い。
【００２２】
本例の馬蹄錠１において、上記のつまみ取付部１２ａは、閂片１２の正面側に突出して設けられた軸状体、より具体的には、閂片１２に対して埋め込まれたピンとされている。この閂片１２に対するピン１２ａの取り付けは、ねじ込みや溶接など、閂片１２から容易に外れない手段であれば、種々の手段を選択し得る。
【００２３】
なお、本例におけるケーシング１１の正面側には、上記のピン１２ａが貫通することで、閂片のケーシングからの引き出し動作の邪魔にならないような長孔１１ｃが設けられている（図１（Ａ）、図２参照）。これによりピン１２ａだけをケーシング１１から突出させることができる（図３参照）。
【００２４】
つまみ１３は、本例では樹脂製であって、形態は略円柱状とされている。つまみ１３の基端部のうち底面には、上記のピン１２ａと嵌合させるための、非貫通の孔である取付孔１３ｂが設けられており、図３に示すように、ケーシング１１を貫通して突出した状態にあるピン１２ａに嵌め込むことができる。これにより、つまみ１３の基端部がピン１２ａに取り付けられる。
【００２５】
本例の馬蹄錠１では、ピン（凸部）１２ａが閂片１２の側に存在し、取付孔（凹部）１３ｂがつまみ１３の側に存在するものとされているが、これとは逆に、閂片１２には凹部が設けられ、つまみ１３には凸部が設けられたものであっても良い。また、場合によっては、つまみ取付部１２ａとつまみ１３との何れか一方にのみ、一方を他方に嵌め込むことにより両者を固定する凹部又は凸部を備えたものとしても良い。その他、閂片１２とつまみ１３との係合が一定方向になされるものであれば、どのような形式で係合がなされたものであっても良い。
【００２６】
なお、このつまみ１３は、本例のような略円柱状の形態に限られたものではなく、閂片１２をケーシング１１から引き出すために指で持つことのできる形状であれば、種々の形態にて実施し得る。また本例においては、ケーシング１１の正面側につまみ１３が設けられたものとされているが、ケーシング１１の側面側に設けられたものとしても良く、馬蹄錠１のデザイン、あるいは、馬蹄錠１を取り付ける自転車Ｂの車種に合わせて種々に変更し得る。
【００２７】
このつまみ１３には、凹部あるいは凸部からなるつまみ側係合部１３ａが設けられており、ケーシング１１、あるいはケーシング１１に取り付けられた係合用金具１５に設けられた、つまみ側係合部１３ａと係合する形態を有するケーシング側係止部１５ｄと係合がなされる（図３参照）。このつまみ側係合部１３ａは、本例では、つまみ１３の基端寄りの表面に設けられた係合溝として実施される。具体的にこの係合溝１３ａは、略円柱状であるつまみ１３の側面（周方向に沿う側の面）に設けられたものである。より具体的には、施錠時における閂片１２の引き出し動作に応じたつまみ１３の移動方向に対して平行となるように設けられたものである。寸法については、本例のつまみ１３の直径及び高さが１７mmであるのに対し、係合溝１３ａの表面からの深さが４．５mm、高さ方向の寸法が５mmとされている。また本例では、つまみ１３における上記係合溝１３ａよりも先端側が、閂片１２の引き出し動作のために指で操作できる部分である操作部１３ｃとされる。なお、指で操作する部分は上記操作部１３ｃに限られたものではなく、つまみ１３のその他の部分と共に、あるいはその他の部分のみを用いて操作するものとされていても良い。
【００２８】
係合溝１３ａは、上記のように略円柱状のつまみ１３の全周に設けられたものである。一方、上記のようにピン１２ａに対してつまみ１３が取り付けられるのは、つまみ１３の基端側であって、つまみ１３をピン１２ａに取り付けるには、つまみ１３をピン１２ａの軸方向に沿うように押し込んで嵌め込むことによってなされる。逆に、ピン１２ａからつまみ１３を外すためには、同じくピン１２ａの軸方向に沿うようにしてつまみ１３を引き抜く。よって、上記引き抜き方向に対して交わる方向に対してつまみ１３を係合することにより、つまみ１３を外すことを困難にできる。つまり、係合溝１３ａは、つまみ１３のピン１２ａに対する係合を解除する方向に対して交わる方向へと、つまみ１３の表面から掘り下げられた形態を有する溝とされている。この係合溝１３ａと、後述するケーシング側係止部１５ｄとの係合により、つまみ取付部１２ａとつまみ１３との嵌め込みの方向と逆方向への動作、本例では、つまみ１３のつまみ取付部１２ａに対する嵌め込みの方向と逆方向への動作を阻止するようになされる。
【００２９】
本例の馬蹄錠においては、係合用金具１５がケーシング１１の背面側に取り付けられている。この係合用金具１５は、図４に示すように、鉄板が略コの字状に折り曲げられたものであって、ケーシング１１に取り付けられた状態において、ケーシング１１の背面に沿い、閂片１２の径外方向へと延びる背面側部１５ａと、背面側部１５ａに連続して設けられ、正面側まで延ばされた連結部１５ｂと、連結部１５ｂに連続したものであり、ケーシング１１よりも正面側に設けられ、閂片１２の径内方向へと延びた正面側部１５ｃとを有する。これにより、係合用金具１５がケーシング１１に取り付けられた状態で、ケーシング１１の径外方向に、背面側部１５ａ及び正面側部１５ｃの一部と連結部１５ｂとが配位される。なお、本例では、図４（Ｂ）に示したように、背面側部１５ａと連結部１５ｂ、及び連結部１５ｂと正面側部１５ｃのそれぞれは直交する位置関係とされているが、９０°以外の角度で交わるものや、背面側部１５ａ、連結部１５ｂ、正面側部１５ｃが連続した弧を描くように曲げられて形成されたものであっても良い。
【００３０】
係合用金具１５の背面側部１５ａには、貫通孔である取付孔１５ｅが設けられている。よって、ケーシング１１を自転車Ｂのフォークへ取り付けるための取付金具１６の固定用に、ケーシング１１にあらかじめ設けられているリベット取付穴１１ｄを共用して係合用金具１５を取り付けることができる。そのため、ケーシング１１の側には特別な加工を必要としない。よって、従来から用いられている馬蹄錠のつまみを本願考案のつまみ１３に取り換え、取付金具１５をケーシング１１に取り付けることにより、容易に改造をなすことも可能である。
【００３１】
この係合用金具１５における正面側部１５ｃの先端部分が、ケーシング１１から閂片１２が引き出されて施錠がなされた状態にある、つまみ１３の係合溝１３ａに対して係合するケーシング側係止部１５ｄとされる。つまり、このケーシング側係止部１５ｄは、ケーシング１１から閂片１２が引き出されて施錠がなされた状態にあるつまみ１３と合致する位置に設けられる。このケーシング側係止部１５ｄは、図４（Ａ）に示すように、施錠のためにつまみ１３が移動する軌跡に沿って湾曲して形成されている。なお、本例においては、上記に説明した通り、係合溝１３ａがつまみ１３の側面の全周に形成されたものであるため、ケーシング側係止部１５ｄは、係合溝１３の一部に沿うように係合することとなる。なお、本例における係合溝１３ａは略円柱状であるつまみ１３の全周に設けられているため、つまみ１３が回転した場合であってもケーシング側係止部１５ｄに対して常に係合が可能である。
【００３２】
本例の馬蹄錠１においては、上記のようにケーシング１１と取付金具１５とは別体に形成されたものとされているが、ケーシング１１の一部を径外方向に突出させたことによりケーシング側係止部１５ｄを形成するなど、ケーシング１１の一部としてケーシング側係止部１５ｄを形成しても良い。また、係合用金具１５を用いる場合であっても、本例のようにケーシング１１の背面側ではなく、側面側に取り付けるものとしても良い。
【００３３】
本願考案に係る馬蹄錠１の施錠方法は従来から存在する馬蹄錠と全く同様であり、馬蹄錠１を使用する者に違和感を与えることがない。まず、図２に示す開錠状態から、つまみ１３を持って閂片１２をケーシング１１の一端面１１ａの開口部分から引き出し、図１に示す施錠状態とする。なお、この馬蹄錠１においては、上記のようにつまみ１３のつまみ側係合部１３ａよりも先端側が操作部１３ｃとされているため、操作部１３ｃをつまんだ指が係合用金具１５（ケーシング側係止部１５ｄ）に対して引っ掛かりにくく、容易に施錠可能である。
【００３４】
そして施錠状態においては、図３に示すように、つまみ１３の係合溝１３ａと係合用金具１５のケーシング側係止部１５ｄとが係合する。この係合により、つまみ取付部１２ａとつまみ１３との嵌め込みの方向と逆方向への動作、つまり、つまみ１３がピン１２ａから抜ける動作が阻止されるため、施錠状態においてはつまみ１３が外れることがない。
【００３５】
また、上記の係合により、ケーシング１１と係合用金具１５とつまみ１３との間で環状部Ｃが形成される。この環状部Ｃの有する空間の、閂片１２の径方向における断面積は、自転車用ヘルメットＨのあご紐Ｈ１の、長手方向に直交する方向における断面積よりも大きくなるように設定されている。よって、あらかじめ係合用金具１５の内側、詳しくは背面側部１５ａ、連結部１５ｂ、正面側部１５ｃの各々に囲まれた空間に自転車用ヘルメットＨのあご紐Ｈ１、あるいは自転車用ヘルメットＨに設けられた係止用リングなどを配位した上で馬蹄錠１を施錠することで、図５に示した状態とでき、馬蹄錠１を開錠しない限り自転車用ヘルメットＨを取り外せないようにできる。これにより、自転車Ｂの駐輪中においても自転車用ヘルメットＨが盗難に遭うということを防止することができる。また、環状部Ｃとあご紐Ｈ１の位置関係を自由に調整することもでき、周囲の邪魔にならないように自転車用ヘルメットＨを固定することができる。
【００３６】
なお、この環状部Ｃには、当然ながら自転車用ヘルメットＨ以外にも、ワイヤー錠や自転車用カバーの一部など、種々の係止物を配位した状態で取り外すことができないようにできる。
【図面の簡単な説明】
【００３７】
【図１】本願考案の一実施例に係る馬蹄錠の施錠状態を示す図であり、（Ａ）は正面図、（Ｂ）は底面図である。
【図２】本願考案の一実施例に係る馬蹄錠の開錠状態を示す正面図である。
【図３】閂片に取り付けられたつまみを示す、図１（Ａ）におけるＡ−Ａ拡大端面図である。
【図４】本願考案の一実施例に係る馬蹄錠の係合用金具を示す図であり、（Ａ）は正面図、（Ｂ）は左側面図である。
【図５】本願考案の一実施例に係る馬蹄錠を自転車に取り付けた状態を示す説明図である。
【符号の説明】
【００３８】
１１    ケーシング
１１ａ  ケーシングの一端面
１１ｂ  ケーシングの他端面
１２    閂片
１２ａ  つまみ取付部、ピン
１３    つまみ
１３ａ  つまみ側係合部、係合溝
１３ｂ  取付孔
１３ｃ  操作部
１５    係合用金具
１５ａ  背面側部
１５ｂ  連結部
１５ｃ  正面側部
１５ｄ  ケーシング側係止部
Ｃ      環状部
Ｈ      自転車用ヘルメット
Ｈ１    自転車用ヘルメットのあご紐
【図１】
0003120156.tif 000003
【図２】
0003120156.tif 000004
【図３】
0003120156.tif 000005
【図４】
0003120156.tif 000006
【図５】
0003120156.tif 000007